(57)【要約】本発明はプロセッサを収容するシャシ（１０）を提供する。シャシはプロセッサ収容用の収容部と、収容部にプロセッサが収容されたとき、プロセッサをシャシとカップリングさせるコネクタとを含んでいる。コネクタはプロセッサに取り付けられた第１構成要素と、シャシに取り付けられ、第１構成要素と連結される第２構成要素とを含んでいる。コネクタはシャシとプロセッサとの間でデータと電力接続とを提供する。第１構成要素は第２構成要素と非視覚的に整合連結される。
2005536831.tif 000002
【特許請求の範囲】
【請求項１】
少なくとも１体のプロセッサを収容するシャシであって、
プロセッサを受領するように設計された少なくとも１体の収容部と、
プロセッサが該収容部内に設置されたときに該プロセッサを本シャシとカップリングさせるコネクタと、
を含んで構成されており、該コネクタは前記プロセッサに取り付けられた第１構成要素と、本シャシに取り付けられ、該第１構成要素と連結する第２構成要素とを有しており、前記コネクタはカップリングされた状態の本シャシと前記プロセッサとの間にデータ接続と電力接続とを提供するように設計されており、
前記コネクタの前記第１構成要素と前記第２構成要素の視覚的整合を必要とせず、前記プロセッサを前記収容部に挿入する際に該第１構成要素は該第２構成要素と整合して相互作用することを特徴とするシャシ。
【請求項２】
第１構成要素はプラグであり、第２構成要素はソケットであり、プロセッサが収容部内に完全に設置されると該プラグは該ソケット内に完全に収容設置されることを特徴とする請求項１記載のシャシ。
【請求項３】
第２構成要素がそれぞれに提供されているプロセッサ収容用の少なくとも２体の収容部と、
ケーブルを収容するように設計されたシャシ取り付け用のケーブルハウジングと、
をさらに含んで構成されており、コネクタの第２構成要素は該ケーブルハウジングに取り付けられており、該ケーブルハウジングと第２構成要素とは前記少なくとも２体の収容部からプロセッサを取り出すことなく取り出せることを特徴とする請求項１記載のシャシ。
【請求項４】
コネクタの第２構成要素はフロート状コネクタとしてケーブルハウジングに取り付けられることを特徴とする請求項１記載のシャシ。
【請求項５】
コネクタは高速データ接続、低速データ接続及びＡＣ電力接続をさらに含んでおり、それぞれの接続によって本シャシとプロセッサとが接続されるように設計されていることを特徴とする請求項１記載のシャシ。
【請求項６】
高速データ接続は低速データ接続及び電力接続に対して相対的に移動でき、第１コネクタと第２コネクタとを連結させることを特徴とする請求項５記載のシャシ。
【請求項７】
コネクタはデータ接続とＡＣ電力接続とをさらに含んでおり、該電力接続は該データ接続から電磁的にシールドされていることを特徴とする請求項１記載のシャシ。
【請求項８】
コネクタは、電磁的にシールドされているデータ接続及びＡＣ電力接続と、
該コネクタと協調するケーブルハウジングに取り付けられ、データ接続を電力接続からシールドする電磁バリヤと、
をさらに含んでいることを特徴とする請求項３記載のシャシ。
【請求項９】
コネクタは高速光ファイバコネクタを含んでいることを特徴とする請求項１記載のシャシ。
【請求項１０】
プロセッサをシャシに接続するように設計されたコネクタであって、
１５ＭＢ/秒以上でデータ通信するように設計された高速データ部と、１０ＭＢ/秒以下でデータ通信するように設計された低速データ部と、プロセッサに電力を提供するように設計された電力部とを含んだプラグ構成要素と、
該プラグ構成要素と連結するように設計され、高速データ部と、低速データ部と、電力部とを含んでいるソケット構成要素と、
を含んで構成されており、
前記ソケット構成要素の前記高速データ部は前記電力部に対して相対的に移動し、前記プラグが該ソケットと接続されると該プラグの前記高速データ部を該ソケットと整合させるように設計されていることを特徴とするコネクタ。
【請求項１１】
電力部はＡＣ電力を伝達するように設計されており、コネクタは高速データ部とＡＣ電力部との間で電磁妨害シールドを含んでいることを特徴とする請求項１０記載のコネクタ。
【請求項１２】
各部を配置する１対のレールと、縦中央のコネクタインターフェース面積を有した高速データコネクタとをさらに含んでいることを特徴とする請求項１０記載のコネクタ。
【請求項１３】
コネクタインターフェースは２.５平方インチを超えないことを特徴とする請求項１０記載のコネクタ。
【請求項１４】
高速コネクタ、低速コネクタ及び電力コネクタは縦方向均衡挿入力を有するように形状化されており、構成要素同士が接続されるとプラグ構成要素はソケット構成要素と整合状態で残ることを特徴とする請求項１０記載のコネクタ。
【請求項１５】
プラグとソケットとの間でデータと電力の両方を伝達するように設計されたデータ及び電力コネクタの製造方法であって、
レール構造体上に電力コネクタを提供するステップと、
データ通信用のデータコネクタを提供するステップと、
該データコネクタを前記レール構造体上に提供するステップと、
該レール構造体を固定させ、前記電力コネクタと前記データコネクタとを該レール構造体上で保持させてプラグを形成させるステップと、
別レール構造体上にソケット電力接続部を提供し、ソケットデータ接続部を該別レール構造体に提供し、ソケット電力とソケットデータ接続部を該レール構造体に固定させて前記プラグを受領するように設計されたソケット形成ステップと、
を含んで成り、
前記データ接続と前記データソケット接続の一方は接続の整合を提供するために前記レール構造体内でフロートするように設計されていることを特徴とする方法。
【請求項１６】
データコネクタに加えてレール構造体上に高速データコネクタを提供するステップをさらに含んでいることを特徴とする請求項１５記載の方法。
【発明の詳細な説明】
【技術分野】
【０００１】
本発明はネットワークコンピュータ用の情報管理システムに関する。特に本発明は複数のプロセッサを受領するように設計されたシャシに関する。
【背景技術】
【０００２】
企業のマイクロプロセッサ利用度が伸びるに連れてシステムネットワーク量は増加した。ネットワークシステムは一般的に複数のプロセッサまたはサーバの相互接続を必要とする。典型的にはコンピュータシステムを相互接続するには複数のプロセッサのワイヤ連結を必要とした。続いて、個々のプロセッサそれぞれの構成要素と他のプロセッサの構成要素との接続を必要とした。
【０００３】
例えばネットワーク“ラック”システムは複数のマウス、ビデオ及びキーボード接続を必要とするプロセッサを有している。しばしば、それぞれの接続でプロセッサを作動させる必要があった。さらに、典型的には電力は個別のコネクタによってそれぞれの構成要素に供給される。それぞれのプロセッサラックは複数の接続ポイントを有している。それぞれは故障の原因となり、それぞれのケーブル並びに接続の検査が必要であるため欠陥接続の修理には手間と時間を要する。
【０００４】
一般的に現在のデータシステムにおいてはいくつかの“ホスト”が相互接続されている。典型的には各ホストは自身の管理ソフトウェア、ディスクアクセス、プロセッサ、キーボード、ＳＣＳＩアダプタ、Ｅネットインターフェース及び電力接続を有している。それらホストはケーブル及びシステム管理ソフトウェアで相互接続されている。また会社がホームページ等のコンピュータ関連商業サービスを利用し始め、それら活動がアウトソースされているため、クライエントの要求に応えるためにコンピュータサービスを遠隔地に提供するというコンピュータ産業内での必要性が認識されてきている。本発明はその需要に応えるものである。
【発明の開示】
【発明が解決しようとする課題】
【０００５】
ネットワークコンピュータとホストの利用度が高まるにつれ、プロセッサ及び/又はサーバを収容する信頼性が高く、利用が容易なシャシの需要が高まった。本発明は相互接続させた複数のプロセッサを収容するシャシを提供する。このシャシ装置は構成要素をモジュール式としており、１つの構成要素が故障しても他の構成要素を妨害せずにその故障要素を交換させる。本発明を以下でさらに詳細に解説する。
【課題を解決するための手段】
【０００６】
本発明は少なくとも１体のプロセッサを収容するシャシを提供する。このシャシは、プロセッサを受領するように設計された少なくとも１体の収容部と、プロセッサが収容部に収容されたときにそのプロセッサをシャシにカップリングさせるコネクタとを含んでいる。コネクタはプロセッサに取り付けられた第１構成要素とシャシに取り付けられ、第１構成要素と合体するように設計された第２構成要素とを有している。コネクタはカップリングされたシャシとプロセッサとの間でデータ接続と電力接続とを提供するように設計されている。さらに、プロセッサを収容部に挿入する際に目視する必要なく第１構成要素は第２構成要素と整合して合体する。
【０００７】
本発明の他の特徴はコネクタである。この場合、第１構成要素はプラグであり、第２構成要素はソケットである。プロセッサが収容部内に完全に収容されているときにはプラグはソケット内に完全に収容される。シャシはプロセッサを収容するための少なくとも２体の収容部を含むことができ、第２構成要素はそれぞれの収容部で提供され、ケーブルを収容するケーブルハウジングがシャシに取り付けられる。コネクタの第２構成要素はケーブルハウジングに取り付けられ、ケーブルハウジングと第２構成要素はプロセッサを２体の収容部から取り出すことなくシャシから取り外すことが可能である。本発明のシャシは浮動コネクタでケーブルハウジングに取り付けられたコネクタの第２構成要素を有することができる。
【０００８】
本発明の他の特徴ではコネクタを有したシャシが含まれている。コネクタは高速データ接続、低速データ接続及びＡＣ電力接続をさらに含むことができる。それぞれの接続でシャシとプロセッサとが接続される。本発明の１実施例においてはコネクタは高速光ファイバケーブルコネクタを含むことができる。さらに、コネクタはプラグとソケットの反対側に固定配線を含むことができる。あるいはプラグとソケットの反対側は電力ケーブルあるいはデータケーブルのコネクタプラグを受領するように設計できる。本発明のこれら及び他の特徴を以下において添付図面を利用しながら詳細に解説する。
【発明を実施するための最良の形態】
【０００９】
本発明は図１で示すシャシ１０を提供する。シャシは複数体のプロセッサ１２、２体のスイッチユニット１４、及び２体のコントロールユニット１６を含んだ様々な構成要素を収容するように設計されている。それぞれの構成要素は図２で示すように取り出して交換できる。シャシの後部には図３で示すようなケーブルハウジング１８が取り付けられている。ケーブルハウジングはそれぞれの構成要素に必要な全てのケーブルを含んでおり、コネクタソケットを有している。様々な構成要素がコネクタ３０でケーブルハウジングに取り付けられている。コネクタはそれぞれの構成要素に取り付けられたプラグとケーブルハウジングに取り付けられたソケットとを含んでいる。それらを図１１Ａに関連させて後述する。コネクタ３０は構成要素を取り外し可能にしており、複数のコネクタを操作することなく交換できるように設計されている。接続は構成要素を挿入する際に提供される。ケーブルハウジングはシステムの操作に必要なケーブル２０を含んでいる。ケーブルは簡単に交換できる。ケーブルハウジング１８は図３の破線と図９から図１４で詳細に示されているソケットコネクタ３４を含んでいる。シャシ、ケーブルハウジング及びコネクタ等のシャシ装置のそれぞれの構成要素の特徴を以下で詳述する。
【００１０】
シャシ    
図１と図２で示されるシャシ１０は一般的に方形で、約２フィート平方であり、約８４インチの高さである。シャシは安定性を提供するために重量のある台を含んでいる。シャシの前面は開いており、プロセッサ１２を収容する２６体の個別収容部に分割され、２体のスイッチユニット１４と２体のコントロールユニット１６とを有している。個々の構成要素は図２で示すように取り外し及び交換が可能である。それぞれの構成要素が収容されると、それら構成要素の露出表面はハウジング外部と同面となる。
【００１１】
アプリケーションプロセッサ（ＡＰ）１２はシャシ装置の操作機能を提供する。それぞれのＡＰは交換式ボックス内で構築されている。図４で例示するように、それらはペンチウムＩＩＩプロセッサのごとき構成要素１３を含む。それぞれのプロセッサは１.３３ＧＨｚ銅プロセッサまたはフォスタプロセッサを含むことができる。４つのＤＩＭＭ  ＳＤＲＡＭスロットが提供でき、２つの高速連続ポートがシャシへの接続に利用されている。ＡＣ電源プラグはＡＰ処理機能のための電力を提供する。
【００１２】
ＡＣ電力がそれぞれのプロセッサに使用されるのでＡＣ冷却システムがそれぞれのＡＰに提供でき、それぞれのＡＰは例えば冷却ファンで個別に冷却される。空気流は図４で概略的に示されている。それぞれのＡＰは前後冷却されるように設計されている。すなわち、箱形で示されるファンがＡＰの前面から空気を送り、内部循環させて装置の背面から排気させる。シャシはＡＰを通過する空気流を循環させて空気をシャシの外側に排気させる構造となっている。よって、シャシ装置はＡＰと協調的に装置の空気流冷却を提供する。
【００１３】
ＩＦＣホストコンピュータ１４は約６インチの高さの箱状であり、装置の管理用に設計されている。例示としてのホストプロセッサ装置は４体までのインテルペンチウムＩＩＩＸＥＯＮプロセッサを含むことができる。もちろんそれ以上またはそれ以下の数の構成要素を適宜使用することもできる。ホストプロセッサはまた１６体のＤＩＭＭ  ＳＤＲＡＭスロット-８体のＧＢのＲＡＭ、サーバワークＩＩＩＨｚチップセット、２体のＳＣＳＩ１６０ＨＤＤ１/２高、７体のＰＣＩスロット、リード/ライト両用の１体のＣＤ  ＲＯＭ及びＡＣ電源を含むことができる。ＡＰ同様に、冷却システムは通風冷却を提供するように採用されている。
【００１４】
高速連続スイッチモジュール１６は約４インチ高であり、ＡＰからＩＦＰへの通信のために３２体の高速連続ポートを含んでいる。他のプロセッサ同様に、ＡＣ電源は装置に必要な電力を提供する。また、他の装置同様に、前後通風空冷となるように設計されている。
【００１５】
装置はフレキシブルに設計されている。すなわち、１構成要素が故障すると、その構成要素がチェックされている際に別のフレキシブルな構成要素が成り代わって作動するようになっている。よって、２体のホストプロセッサ１４と２体の相互接続モジュール１６とが存在する。
【００１６】
シャシ装置はハウジング内でそれぞれのプロセッサ１２、１４及び１６を含むように設計されている。プロセッサがハウジング内に完全に収容されたときモジュールの外側はシャシの前面と同面となる。もちろん、挿入式構成要素、突出式構成要素等の他の設計でも可能である。装置は一体的外観を提供し、利用形態によっては複数のシャシを採用して相互接続し、拡張されたコンピュータネットワーク性能を提供することができる。
【００１７】
それぞれのモジュールはレール上でスライドするように設計されており、モジュールのシャシへの収容や、シャシからの取出しはスムーズである。それぞれのモジュールは図４で概略的に示されているようにレール１９上に挿入できる。レール自体はモジュールの幅の多少の変動に対応できるように設計されている。レールが好ましいものの、他の手段であっても構わない。
【００１８】
スパイン-ケーブルハウジング
図３はシャシの後部に取り付けられたケーブルハウジング２０を示す。図４から図８で詳細に示されるケーブルハウジングは装置の様々な構成要素を接続するケーブルを収容する。ケーブルハウジング２０はカバー２２を有してモジュール式となっており、４本のネジ固定具でハウジングに固定されている。ケーブルハウジングの交換が必要になるとユニットは４本のネジ固定具２４を外すことでハウジングから取り出すことができる。従来のケーブルハウジングは精密固定されるものであり、もし１本のケーブルが作動不能となればケーブルハウジング全体が装置の様々な構成要素と整合する精密構造装置で交換された。よって、交換が可能な場合であっても交換は大げさな作業を必要とし、時間を要した。本発明のケーブルハウジングは精密整合工具を必要としない。なぜなら、個々の接続要素は完全な整合状態でなくとも安定的に固定できるからである。
【００１９】
本発明のケーブルハウジングはケーブルを含むコンパクトな構造体と支持体を提供する。支持体上には構成要素１２、１４、１６をハウジングに接続するコネクタのソケット側が搭載される。コネクタは図３において破線で示されている。図５で示すようにコネクタソケットはケーブルハウジングに取り付けられ、ソケット穴はシャシの内側に面している。ケーブルはコネクタの反対側に取り付けられ、様々な構成要素を接続する。コネクタは移動を可能にさせる“フロート”コネクタを使用してケーブルハウジングに搭載される。すなわち、コネクタは接続時の整合状態を提供するために所定量の移動ができる。
【００２０】
ＡＣ電力接続とワイヤとは電磁妨害（ＥＭＩ）バリヤまたはシールド４０でデータラインから隔離されている。図６はそれぞれプロセッサとスパインに取り付けられたプラグ３２とソケット３４を含んだコネクタを示す。ＥＭＩバリヤはスパインの長さと同じである。図６と図７で示すようにバリヤはケーブルハウジングの全幅とも同じである。それぞれのコネクタはＡＣ電力を有しているため、シールドはＡＣ電力を送るそれぞれのコネクタ３４の部分を隔離するように設計されている。バリヤ４０はそれぞれのコネクタ間に提供された第２バリヤ４２と協調作用する。第２バリヤはコネクタハウジングの後壁から垂直に延び出し、折り曲げられて第２バリヤと第１ＥＭＩバリヤとの間で接触面４３を形成する。ＥＭＩガスケット４４はバリヤ４０と４２との間に配置され、バリヤを完成させる。コネクタ３４はＥＭＩブロックを含む。
【００２１】
図８はカバーが外された状態のケーブルハウジング２０を示す。電力接続は一般的に右側であり、ＥＭＩシールド４０は電力接続をデータコネクションから分割させる。ケーブルハウジングの左側の線はケーブルである。
【００２２】
コネクタ
図９から図１４は本発明のコネクタを示す。図９と図１１Ａではコネクタ３０はプラグ構成要素３２とソケット構成要素３４とを含んでいる。一般的にコネクタは３体の部材である低速データ接続モジュール３８、高速データ接続モジュール４０及びＡＣ電力モジュール部分４２を含んでいる。
【００２３】
高速データ接続とは２つのデータ接続のうちの速い方である。例示として、高速データ接続はデータを１５ＭＢ/秒以上で伝達させることができる。もちろんこの値は技術の進歩と共に増大する。低速データ接続とは２つのデータ接続のうちの遅い方である。例えば、１０ＭＢ/秒以下である。もちろん、データが伝達される速度はコンピュータ性能による。コネクタ自体はそれ以上あるいはそれ以下の速度の伝達用に設計できる。
【００２４】
それぞれのモジュールはそれぞれのプラグ３２とソケット３４との間を接続するように設計されている。図１１Ａで示すようにプラグ３２は整合ピン１０２を搭載するエンドキャップ１００を含んでいる。整合ピンはエンドキャップの平坦面と垂直であり、テーパされた端部を有している。整合ピンに隣接して可動ブッシングが提供されており、コネクタを要素１２、１４または１６に可動式に搭載するようにネジで固定させる搭載穴として作用する。ソケットは図１１Ｂに示されており、協調要素には番号に“a”が付されている。例えば、ピン１４２はソケット１４２aと協調フィットする。
【００２５】
エンドキャップはまた２体のフランジ１０４と１０６を有している。それらはエンドキャップから外側に延びている。図１１Ａで示すように２つの穴がフランジ内に提供されており、ネジ１０８と１１０を受領する。これらネジはレール１１２と１１４をエンドキャップに搭載するように設計されている。図１１Ｃで示すようにレール１１２と１１４は内側に開いたＵ形状凹部を有するように設計されている。それぞれのコネクタモジュール３８、４０、４２はＵ形状凹部にフィットするように設計されている。低速データモジュール３８はエンドキャップに対向して提供され、レール１１２と１１４で外側部に固定されている。低速データモジュールに隣接してスペーサ１１９が提供されており、低速データを高速データピンアレイから分離させる。
【００２６】
前述したように、高速データモジュールは図１１Ａの方向矢印で示される縦横方向に移動するように設計されている。狭溝がデータプレートの平面に沿ってスペーサ１１９に提供されている。その狭溝内にレールインサート１３４が提供されるデータプレートの外側部上でデータプレート１３０が可動式に配置できる。図１１Ｄで示されるようにレールインサートは外側に向けられた形状の側部を有しており、内側に開いたＵ形状体１２２と形状一致する。レールインサートの内側部は狭幅溝を有している。その溝にはデータプレート１３０が可動式に提供されている。スペーサ１４４も狭幅溝を有しており、スペーサ１１９と１４４及びレールインサート１３４と１３６内の狭幅溝によって高速データプレートは縦横方向に移動できる。１好適実施例ではプレートの可動距離はＸ軸とＹ軸方向で０.０２５インチ程度である。もちろん他の可動距離であってもよい。スペーサ１４４に沿ってＡＣ電力モジュール４２が提供されている。スペーサ１４４はシールドとして作用し、ＡＣ電力がデータコネクション４０と３８を妨害しないようにする。
【００２７】
スペーサ１４４はＥＭＩシールドと協調し、ＡＣ電力妨害からデータコネクションを保護する。
【００２８】
レール１１２と１１４の端部にはエンドキャップ１６０が提供されている。エンドキャップ１００に類似するエンドキャップ１６０は外側部に穴を有したフランジを有しており、穴でネジ１６６と１６８を受領する。ネジはエンドキャップをレールに固定し、コネクタ全体が構成される。
【００２９】
エンドキャップレール構造体は簡単なモジュール取り付け機能を提供する。コネクタのプラグ部分の構築方法は、レールをエンドキャップ１００にネジ固定させ、個々のコネクタモジュールをスペーサで分離されたレールにスライド搭載させることでコネクタを構築させるステップを含んでいる。反対側エンドキャップのネジはエンドキャップをレールに固定し、装置に必要な一体性を提供する。
【００３０】
図１０で示す低速データ接続ピンとＡＣ電力ピンはモジュール側に搭載されている。組み入れ時に多少の整合不具合が吸収されるように多少の移動が可能になっている。高速接続には可動搭載は提供されていない。高速データピンが搭載される高速プレート全体はレール内に可動式に搭載されている。
【００３１】
ソケット３４はエンドキャップとほぼ同様の構造を有しており、フランジを有してサイドレールを保持する。それぞれのソケット構成要素はレール間にスライド可能に配置され、反対側でエンドキャップによって固定されている。スペーサ要素が接続モジュール間に提供され、異なる構成要素間でＥＭＩシールド及び程よいスペースを提供する。
【００３２】
本発明は１度の接続動作で積み重ね可能なプロセッサ間に完全な接続を提供する。コネクタの表面積は小さく、この好適実施例ではコネクタは２.５平方インチ以下の表面積である。接続にはＡＣ電力を利用するためプロセッサを含むのに必要な構成要素が単純化される。ＤＣ-ＡＣ変換装置は不要である。
【００３３】
接続方式は図１２、図１３及び図１４に関して説明されている。本発明の１特徴は多段式整合であり、簡単で確実な接続状態はコネクタの非整合状態配置で可能である。特に図１２において示すように、第１段階整合と配置は整合ピン１０２と１７０が移動し、ソケットコネクタ１０２Ａと１７０Ａのそれぞれの錐形凹部内に配置されると提供される。これで相互接続装置の大まかな整合が提供され、整合ピン１０２と１７０がファンネル状コネクタ内に入れられると、第２段階整合ピン１４０と１４２がソケットコネクタの開口部１４０Ａと１４２Ａの外側でに配置される。第２段階整合ピン４２と４４が整合ソケット４２Ａと４４Ａ内に配置されると、高速データプレートはレール内で移動でき、高速データプラグを高速データソケットと適正に整合させる。電力接続プラグは電力接続ソケットに対向し、低速データプラグは低速データソケットの外側に配置される。よって、第２段階整合ピンが整合ソケット４２Ａと４４Ａ内に完全に収容配置されると、構造物全体は適切に配置され、信頼性が高い接続が提供される。
【００３４】
場合によっては装置の全幅である高速接続を有することは不要である。例えば、プロセッサモジュール１２はプロセッサの設計性能を満たすのに充分な高速接続を必要とするだけである。従って、高速コネクタは図１４で示すように減少幅で構成することができる。高速コネクタの幅のみが変更されるので同一番号が同一要素に付されている。減少幅高速コネクタは電力接続と低速データ接続との間に配置されることは重要である。
【００３５】
これで力のバランスが補強され、プラグはソケットに確実に配置できる。バランスされると、接続プロセスはさらにスムーズとなり、挿入作業中の整合ミスが少なくなる。特に、異なる構成要素のそれぞれと関連する挿入力は縦中央線に沿って均衡し、高速データ接続は中央線に沿って均衡する。それぞれの低速データ接続と電力接続は中央線から所定距離で挿入力に基いて整合配置される。よって、様々なプラグのソケットへの挿入を完成させるのに必要な力はスムーズであり、信頼性が高い。
【００３６】
コネクタの別実施例は図１５から図２３にかけて説明されている。この実施例では高速データ接続は光ファイバ用に設計された接続で交換されている。この実施例では同一段階のコネクタが使用されており、接続は共同でコネクタを整合させて接続させる一連のピンで達成されている。これで“ブラインド”接続すなわち非視覚的接続が達成され、コンピュータハウジングはコネクタの視覚的整合を必要とせずにシャシに接続できる。理解されようが、視覚的整合の不要性はコンピュータハウジングの互換性を大いに助ける。
【００３７】
コネクタ２００は図１５から図２３にかけて示されている。コネクタ２００の多くの特徴は前述のものに類似している。コネクタはプラグ２０１とソケット２０３を含んでいる。特にプラグに関してプラグ内の整合ピン２０２、２０４はソケットの整合穴２０６、２０８に挿入できるように設計されている。図１６で図示するように、整合穴２０６（２０８）は錐形内面２１０を有しており、整合ピンを整合穴に導く。整合穴２０８の錐形内面は図１５で示されている。
【００３８】
整合ピン２０２、２０４はそれぞれエンドキャップ２１２、２１４に固定されている。整合穴２０６、２０８はそれぞれエンドキャップ２１６、２１８内に形成されている。エンドキャップ２１２、２１４の端に沿ってレールがネジで固定されるように設計されている。レール２００、２２２とエンドキャップはコネクタの周囲を形成する。レール２２は図１５には図示されていない。
【００３９】
前述の実施例のごとく、レールとエンドキャップはコネクタの構成要素を固定させる。特に、電力コネクタ（プラグと接続状態）２２６、低速データコネクタ２２８及び高速データコネクタ２３０a、２３０bが提供されている。高速データ接続構成要素は米国イリノイ州のモレックス・ダウナーズ・グローブ社から入手できる。ソケット２０３も電力コネクタ２４０、低速データ接続２４２及び高速データ接続２４４aと２４４bを含んでいる。電力接続用と低速データ接続用のピンコネクタはこの実施例では説明されていない。高速データ接続は光ファイバコネクタで提供される。このコネクタはいくつかの利点を提供する。
【００４０】
まず、コネクタはフロート特性を有しており、光ファイバコネクタを“ブラインド式（非視覚的）”に接続する。すなわち、コネクタ自身がカップリングされるとき、光ファイバコネクダはコネクタ内で多少移動することで自身を整合させることができる。この非視覚的接続は従来のものに勝る。なぜなら、従来は複数の接続が視覚的及び手動式に行われなければならなかったからである。本発明ではコネクタは自動的に整合する。なぜなら、プロセッサはシャシ内にフィットするように設計されているからである。整合は整合ピンと整合穴とでさらに容易に達成される。高速データ接続に対しては整合状態はプラグ及び/又はソケットがフロート状態となることで提供される。
【００４１】
別な利点は、プラグ側またはソケット側で光ファイバ“ジャッキ（差込口）”接続（例えば電話ジャッキ）を可能とするように設計できることである。後端での接続でシャシが構築されるときにスパイン全体の配線は不要となる。特に、接続部はシャシ上に提供でき、必要となるまでリザーブ状態としておくことができる。必要なとき、オペレータは光ファイバケーブルを光ファイバ“ジャッキ”接続部と接続させることができる。これで当初の設置費用を低減させ、設計のフレキシビリティを最大化し、利用量が増加したときにシャシを修正して利用度を増加させることができる。もちろん、この種のジャッキ接続は前述の実施例においても利用できる。
【００４２】
高速コネクタは図１７から図２１で詳細に解説されている。プラグ２３０aと２３０bは類似しているが異なる形状でも構わない。これら光ファイバ接続は、光ファイバを整合させるようにソケット２３４aの外側に沿って提供された整合突出部２３２aを有している。突出部は高速接続のフロート状整合を提供する。図１６と図１９から理解されようが、整合ピンが穴と整合すると、高速データ接続は整合し、高速接続のフロート特性でそのコネクタは整合接続される。
【００４３】
図１７と図１８はそれぞれプラグとソケットの接続側を図示する。様々な接続部は対称的に提供されており、プラグがソケット内に収容接続されると提供された接続はシャシ装置でプロセッサを機能させるのに必要な電力とデータとを伝達する。
【００４４】
図２０から図２３はコネクタの分解図であり、様々な構成要素を示す。図２０と図２３はプラグ構成要素の前後を示しており、図２１と図２２はソケット構成要素の前後を示している。プラグ構成要素とソケット構成要素とを分離するスペーサが提供されている。スペーサ２５２、２５４はＵ形状であり、高速コネクタを内側に収容するいかなるサイズでもよく、レール内で固定される大きさで提供される。高速コネクタはＵ形状スペーサ内でフロートし、スペーサは高速コネクタをレール構造体内に固定する。他のスペーサ２５６、２５８を追加して様々な構成要素を分離することもできる。ソケット内で図示されているように、スペーサ２５７と２５９はＵ形状であり、高速データコネクタをレールに固定するのに使用される。さらに、スペーサはデータ接続を電力接続による妨害から保護するのに使用できる。電力接続とデータ接続との間の妨害はＡＣ電力が使用されると相当な程度となる。このコネクタによってＡＣ電力のデータ接続に対する妨害を最低化させることができる。レールは突起を有し、溝は構成要素側に提供されているが、その逆であってもよい。また、レールは構成要素の溝内にフィットする延長部を含み、構成要素をレール上にスライドさせる。全部の構成要素がレール上に配置されると、ネジが使用されてエンドキャップをレールに固定し、コネクタが構築される。
【００４５】
図２３はコネクタのプラグ部分の後部を図示する。光ファイバ“ジャッキ”コネクタ２６２、２６４は高速プラグコネクダの後端部に提供される。ジャッキ接続はプラグコネクタ（シャシまたはコンピュータハウジング内）に設置させ、他のケーブル（ワイヤまたは光ファイバーワイヤ）に容易に接続させる。これで本発明のコネクタに大きな利点が提供される。コネクタは接続することなく設置することができる。接続が必要な場合には、ケーブル接続が主として提供される。どのようなデータまたは電力構成要素でも他の構成要素に対する容易な接続のための後向ソケットを含むように設計できる。図２１で示すように後向ソケットは２６６と２６８で示されている。
【図面の簡単な説明】
【００４６】
【図１】図１は収容されたモジュール型構成要素プロセッサとスイッチボックスを収容したシャシの前面斜視図である。
【図２】図２は１モジュール型構成要素が取り出された状態のシャシの前方斜視図である。
【図３】図３はコネクタソケット位置を破線で表したケーブルハウジングを示すシャシの背面斜視図である。
【図４】図４はサイドカバーが取り外され、ケーブルハウジングが未組立状態であるシャシの背面斜視図である。
【図５】図５は図４の５-５線部分の詳細図である。
【図６】図６はＥＭＩシールドを有したスパインとコネクタの詳細図である。
【図７】図７はスパイン中のＥＭＩシールドの詳細図である。
【図８】図８はカバーが取り外された状態のケーブルハウジングの斜視図である。
【図９】図９は接続が外された状態のプラグとソケットを示すコネクタの斜視図である。
【図１０】図１０はフレキシブルな搭載を示す個別ピンの詳細図である。
【図１１】図１１Ａは高速データポートコネクタが他方に対して相対移動できるコネクタ正面の一部断面図である。
【図１１Ｂ】図１１Ｂはコネクタソケットの正面図である。
【図１１Ｃ】図１１Ｃは図１１Ａの１１Ｃ-１１Ｃ線に沿った断面図である。
【図１１Ｄ】図１１Ｄは図１１Ａの１１Ｄ-１１Ｄ線に沿った断面図である。
【図１２】図１２は図１３と共にプラグとソケットの段階的接続を示すコネクタ側面図である。
【図１２】図１３は図１２と共にプラグとソケットの段階的接続を示すコネクタ側面図である。
【図１４】図１４はスパインに信号プロセッサを接続するように設計されたコネクタである。
【図１５】図１５は本発明の別な特徴によるコネクタの図である。
【図１６】図１６も図１５のコネクタの図である。
【図１７】図１７も図１５のコネクタの図である。
【図１８】図１８も図１５のコネクタの図である。
【図１９】図１９も図１５のコネクタの図である。
【図２０】図２０は図１５から図１９にかけて示すコネクタの分解図である。
【図２１】図２１も図１５から図１９にかけて示すコネクタの分解図である。
【図２２】図２２も図１５から図１９にかけて示すコネクタの分解図である。
【図２３】図２３も図１５から図１９にかけて示すコネクタの分解図である。
【図１】
2005536831.tif 000003
【図２】
2005536831.tif 000004
【図３】
2005536831.tif 000005
【図４】
2005536831.tif 000006
【図５】
2005536831.tif 000007
【図６】
2005536831.tif 000008
【図７】
2005536831.tif 000009
【図８】
2005536831.tif 000010
【図９】
2005536831.tif 000011
【図１０】
2005536831.tif 000012
【図１１Ａ】
2005536831.tif 000013
【図１１Ｃ】
2005536831.tif 000014
【図１１Ｄ】
2005536831.tif 000015
【図１１Ｂ】
2005536831.tif 000016
【図１２】
2005536831.tif 000017
【図１３】
2005536831.tif 000018
【図１４】
2005536831.tif 000019
【図１５】
2005536831.tif 000020
【図１６】
2005536831.tif 000021
【図１７】
2005536831.tif 000022
【図１８】
2005536831.tif 000023
【図１９】
2005536831.tif 000024
【図２０】
2005536831.tif 000025
【図２１】
2005536831.tif 000026
【図２２】
2005536831.tif 000027
【図２３】
2005536831.tif 000028
【国際調査報告】
2005536831.tif 000029
2005536831.tif 000030
2005536831.tif 000031
2005536831.tif 000032